(57)【要約】【課題】埃などが光学変調領域に対応する領域に付着することに起因して、表示品質が影響を受けることを抑制することができる電気光学装置、防塵用基板、及び電子機器を提供する。【解決手段】電気光学装置は、電気光学素子と、該電気光学素子に貼り合わされた防塵用基板とを備えた電気光学装置であって、前記防塵用基板は、前記電気光学素子と対向する面の反対側の面に、複数の突起が設けられている。複数の突起は、防塵用基板における前記電気光学素子と対向する面の反対側の面に設けられている。突起は、防塵用基板の面に立設されており、防塵用基板の面に垂直な断面の少なくとも一つの断面における断面形状が、楔形である。【選択図】図５
2010152266.tif 000002
【特許請求の範囲】
【請求項１】
電気光学素子と、該電気光学素子に貼り合わされた防塵用基板とを備えた電気光学装置
であって、
前記防塵用基板は、前記電気光学素子と対向する面の反対側の面に、複数の突起が設け
られていることを特徴とする電気光学装置。
【請求項２】
前記防塵用基板は、前記電気光学素子に対して、前記電気光学素子における光束の入射
側及び出射側に配設されていることを特徴とする、請求項１に記載の電気光学装置。
【請求項３】
前記防塵用基板は、前記電気光学素子に対して、前記電気光学素子における光束の出射
側に配設されていることを特徴とする、請求項１に記載の電気光学装置。
【請求項４】
前記複数の突起におけるそれぞれの突起の高さ、及びそれぞれの前記突起間の配設ピッ
チは、前記電気光学素子に入射する入射光の波長より小さいことを特徴とする、請求項１
乃至３のいずれか一項に記載の電気光学装置。
【請求項５】
前記複数の突起におけるそれぞれの突起の高さ、及びそれぞれの前記突起間の配設ピッ
チは、４３０ｎｍ未満であることを特徴とする、請求項１乃至３のいずれか一項に記載の
電気光学装置。
【請求項６】
前記複数の突起におけるそれぞれの突起の高さ、及びそれぞれの前記突起間の配設ピッ
チは、可視光の波長より小さいことを特徴とする、請求項１乃至３のいずれか一項に記載
の電気光学装置。
【請求項７】
前記複数の突起におけるそれぞれの突起の高さ、及びそれぞれの前記突起間の配設ピッ
チは、３８０ｎｍ未満であることを特徴とする、請求項１乃至３のいずれか一項に記載の
電気光学装置。
【請求項８】
前記突起は、前記防塵用基板の面に立設されており、前記防塵用基板の面に垂直な断面
の少なくとも一つの前記断面における断面形状が、楔形であることを特徴とする、請求項
１乃至７のいずれか一項に記載の電気光学装置。
【請求項９】
前記楔形の先端が円弧で構成されていることを特徴とする、請求項８に記載の電気光学
装置。
【請求項１０】
前記突起は、前記防塵用基板の面に立設された球冠であることを特徴とする、請求項１
乃至７のいずれか一項に記載の電気光学装置。
【請求項１１】
前記突起は、前記防塵用基板の面に立設されており、先端側が球冠形状の円柱、角柱、
円錐、又は角錐であることを特徴とする、請求項１乃至７のいずれか一項に記載の電気光
学装置。
【請求項１２】
前記複数の突起は、前記防塵用基板の面における、前記電気光学素子が備える光学変調
領域に対応する領域に配設されていることを特徴とする、請求項１乃至１１のいずれか一
項に記載の電気光学装置。
【請求項１３】
前記電気光学素子、又は前記電気光学素子及び前記防塵用基板を保持する保持ケースを
さらに備え、前記保持ケースは、前記電気光学素子又は前記防塵用基板における前記突起
が形成されていない部分に当接して前記電気光学素子又は前記防塵用基板を保持している
ことを特徴とする、請求項１２に記載の電気光学装置。
【請求項１４】
電気光学装置が備える電気光学素子に貼り合わされた防塵用基板であって、
前記防塵用基板は、前記電気光学素子と対向する面の反対側の面に、複数の突起が設け
られていることを特徴とする、防塵用基板。
【請求項１５】
前記複数の突起におけるそれぞれの突起の高さ、及びそれぞれの前記突起間の配設ピッ
チは、前記電気光学素子に入射する入射光の波長より小さいことを特徴とする、請求項１
４に記載の防塵用基板。
【請求項１６】
前記複数の突起におけるそれぞれの突起の高さ、及びそれぞれの前記突起間の配設ピッ
チは、４３０ｎｍ未満であることを特徴とする、請求項１４に記載の防塵用基板。
【請求項１７】
前記複数の突起におけるそれぞれの突起の高さ、及びそれぞれの前記突起間の配設ピッ
チは、可視光の波長より小さいことを特徴とする、請求項１４に記載の防塵用基板。
【請求項１８】
前記複数の突起におけるそれぞれの突起の高さ、及びそれぞれの前記突起間の配設ピッ
チは、３８０ｎｍ未満であることを特徴とする、請求項１４に記載の防塵用基板。
【請求項１９】
前記突起は、前記防塵用基板の面に立設されており、前記防塵用基板の面に垂直な断面
の少なくとも一つの前記断面における断面形状が、楔形であることを特徴とする、請求項
１４乃至１８のいずれか一項に記載の防塵用基板。
【請求項２０】
前記楔形の先端が円弧で構成されていることを特徴とする、請求項１９に記載の防塵用
基板。
【請求項２１】
前記突起は、前記防塵用基板の面に立設された球冠であることを特徴とする、請求項１
４乃至１８のいずれか一項に記載の防塵用基板。
【請求項２２】
前記突起は、先端側が球冠形状の円柱、角柱、円錐、又は角錐であることを特徴とする
、請求項１４乃至１８のいずれか一項に記載の防塵用基板。
【請求項２３】
前記複数の突起は、前記防塵用基板及び前記電気光学素子が前記電気光学装置に配設さ
れた状態において、前記防塵用基板における前記電気光学素子が備える光学変調領域に対
応する領域に配設されていることを特徴とする、請求項１４乃至２２のいずれか一項に記
載の防塵用基板。
【請求項２４】
請求項１乃至１３のいずれか一項に記載の電気光学装置、又は請求項１４乃至２３のい
ずれか一項に記載の防塵用基板を備えることを特徴とする電子機器。
【発明の詳細な説明】
【技術分野】
【０００１】
本発明は、電気光学素子を備える電気光学装置、及び電気光学素子の一方の面に配置さ
れた防塵用基板、並びに電気光学装置を備える電子機器に関する。
【背景技術】
【０００２】
従来から、光源から出射された光束を画像情報などに応じて変調する液晶パネルなどの
電気光学素子を備える液晶装置などの電気光学装置が知られている。液晶装置は、例えば
、情報機器における表示装置や、投射型表示装置におけるライトバルブなどとして用いら
れている。
このような表示装置においては、表示面に埃などが付着すると、表示面に表示画像とは
異なる点などが視認され、表示品質が劣化する。特に、液晶プロジェクターなどの投射型
表示装置のように、液晶パネルの表示領域が拡大されて表示画面となる装置においては、
埃などが拡大された像となって表示画面に表示されてしまうため、表示品質に及ぼす影響
が大きくなる。
【０００３】
特許文献１には、帯電防止材料を含むコーティング部材を備えることで、帯電した埃が
静電気によって液晶パネルに付着することを抑制する電気光学装置及び投射型表示装置が
開示されている。
また、液晶プロジェクターなどの投射型表示装置においては、液晶パネルの表示面に直
接埃が付着することを防止するために、防塵部材を設けることが行われている。防塵部材
を設けることで、埃などが付着しても、当該埃は防塵部材に付着するため、当該埃などの
位置が投射レンズの焦点位置から離れていることにより、明確には視認され難くくするこ
とができる。しかし、防塵部材の面に埃が付着した場合でも、付着した埃などの像は、焦
点がずれてぼやけた像として僅かながら視認されるため、防塵部材にも埃などは付着しな
いことが好ましい。特許文献２には、防塵部材の表面に摩擦係数が小さいフッ素樹脂コー
ティングを施すことで、埃などが付着し難くする、液晶パネルブロック及び液晶プロジェ
クター装置が開示されている。
【０００４】
【特許文献１】特開２００３−２７９９４２号公報
【特許文献２】特開２００７−２５１５３号公報
【発明の開示】
【発明が解決しようとする課題】
【０００５】
しかしながら、特許文献２に開示されたように摩擦係数を小さくしても、浮遊して気流
に乗り、装置の内部を流動してきた埃などは摩擦によって帯電することが多いため、静電
気によって付着することがあった。また、特許文献１に開示されたような帯電防止材料を
有効ならしめるためには、帯電防止材料から放電するための放電経路を形成する必要があ
り、装置が複雑になるという課題があった。
【課題を解決するための手段】
【０００６】
本発明は、上記課題の少なくとも一部を解決するためになされたものであり、以下の形
態又は適用例として実現することが可能である。
【０００７】
［適用例１］本適用例にかかる電気光学装置は、電気光学素子と、該電気光学素子に貼
り合わされた防塵用基板とを備えた電気光学装置であって、前記防塵用基板は、前記電気
光学素子と対向する面の反対側の面に、複数の突起が設けられていることを特徴とする。
【０００８】
この電気光学装置によれば、防塵用基板に複数の突起が形成されている。突起が存在す
ることで、平坦な面にくらべて、防塵用基板に対して埃などが接触することができる面積
が小さくなる。これにより、防塵用基板の面に埃などが付着することを抑制することがで
きる。電気光学素子から出射される光束が透過する領域の面に埃などが付着することを抑
制することができるため、表示装置においては、埃などが付着することで表示品質が劣化
することを抑制することができる。電気光学素子に接近することを防塵用基板によって阻
止される埃などは、防塵用基板における電気光学素子と対向する面の反対側の面に接触す
る可能性が高い。この面に突起を形成することによって、防塵用基板において埃などが接
触する可能性が高い面を、埃などが付着し難い面にすることができる。
【０００９】
［適用例２］上記適用例にかかる電気光学装置において、前記防塵用基板は、前記電気
光学素子に対して、前記電気光学素子における光束の入射側及び出射側に配設されている
ことが好ましい。
【００１０】
この電気光学装置によれば、防塵用基板が、電気光学素子に対して、光束の入射側及び
出射側に配設されていることで、防塵用基板によって確実に、電気光学素子が周囲から影
響を及ぼされることから保護することができる。
【００１１】
［適用例３］上記適用例にかかる電気光学装置において、前記防塵用基板は、前記電気
光学素子に対して、前記電気光学素子における光束の出射側に配設されていることが好ま
しい。
【００１２】
この電気光学装置によれば、防塵用基板は、電気光学素子における光束の出射側に配設
されている。電気光学装置は、例えば投射型の表示装置における電気光学装置であって、
投射型の表示装置においては、電気光学装置に近接して投射用の光学系が配設されること
が多い。大気中に浮遊する埃などは、近接して配設された電気光学装置と光学系との間を
流動する際に電気光学装置に接触し易いが、防塵用基板を出射側に配設することで、接触
した埃などが付着することを抑制することができる。
電気光学装置は、例えば表示面が直接観察される表示装置における電気光学装置であっ
て、光束の出射側が観察される表示面となる。防塵用基板を出射側に配設することで、観
察される面に埃などが付着することを抑制することができる。
【００１３】
［適用例４］上記適用例にかかる電気光学装置において、前記複数の突起におけるそれ
ぞれの突起の高さ、及びそれぞれの前記突起間の配設ピッチは、前記電気光学素子に入射
する入射光の波長より小さいことが好ましい。
【００１４】
この電気光学装置によれば、高さが入射光の波長より小さい突起が、入射光の波長より
小さい配設ピッチで配置される。光学素子や電気光学装置を構成し、光束が透過する部材
は、ガラスなどで形成されており、大気とは異なる屈折率を有している。ガラスなどと大
気との境界面で屈折率が大きく変化することに起因して、光が反射する。多数の突起を設
けることで、突起の高さの範囲で、屈折率を徐々に変化させることができる。このように
することにより、突起の高さおよび配設ピッチより長い波長の光は、境界面で反射され難
くなることが知られている。入射光の波長より小さい突起が、入射光の波長より小さい配
設ピッチで配置されていることで、入射する光が反射されることを抑制することができる
。
【００１５】
［適用例５］上記適用例にかかる電気光学装置において、前記複数の突起におけるそれ
ぞれの突起の高さ、及びそれぞれの前記突起間の配設ピッチは、４３０ｎｍ未満であるこ
とが好ましい。
【００１６】
この電気光学装置によれば、高さが４３０ｎｍより小さい突起が、４３０ｎｍより小さ
い配設ピッチで配置される。光学素子や電気光学装置を構成し、光束が透過する部材は、
ガラスなどで形成されており、大気とは異なる屈折率を有している。ガラスなどと大気と
の境界面で屈折率が大きく変化することに起因して、光が反射する。多数の突起を設ける
ことで、突起の高さの範囲で、屈折率を徐々に変化させることができる。このようにする
ことにより、突起の高さおよび配設ピッチより長い波長の光は、境界面で反射され難くな
ることが知られている。
電気光学装置で扱われることが多い光の３原色の中で、波長が最も短い青色の波長は、
概ね４３０ｎｍである。４３０ｎｍより小さい突起が、４３０ｎｍより小さい配設ピッチ
で配置されていることで、光の３原色の光が反射されることを抑制することができる。
【００１７】
［適用例６］上記適用例にかかる電気光学装置において、前記複数の突起におけるそれ
ぞれの突起の高さ、及びそれぞれの前記突起間の配設ピッチは、可視光の波長より小さい
ことが好ましい。
【００１８】
この電気光学装置によれば、高さが可視光の波長より小さい突起が、可視光の波長より
小さい配設ピッチで配置される。光学素子や電気光学装置を構成し、光束が透過する部材
は、ガラスなどで形成されており、大気とは異なる屈折率を有している。ガラスなどと大
気との境界面で屈折率が大きく変化することに起因して、光が反射する。多数の突起を設
けることで、突起の高さの範囲で、屈折率を徐々に変化させることができる。このように
することにより、突起の高さおよび配設ピッチより長い波長の光は、境界面で反射され難
くなることが知られている。可視光の波長より小さい突起が、可視光の波長より小さい配
設ピッチで配置されていることで、可視光が反射されることを抑制することができる。
【００１９】
［適用例７］上記適用例にかかる電気光学装置において、前記複数の突起におけるそれ
ぞれの突起の高さ、及びそれぞれの前記突起間の配設ピッチは、３８０ｎｍ未満であるこ
とが好ましい。
【００２０】
この電気光学装置によれば、高さが３８０ｎｍより小さい突起が、３８０ｎｍより小さ
い配設ピッチで配置される。光学素子や電気光学装置を構成し、光束が透過する部材は、
ガラスなどで形成されており、大気とは異なる屈折率を有している。ガラスなどと大気と
の境界面で屈折率が大きく変化することに起因して、光が反射する。多数の突起を設ける
ことで、突起の高さの範囲で、屈折率を徐々に変化させることができる。このようにする
ことにより、突起の高さおよび配設ピッチより長い波長の光は、境界面で反射され難くな
ることが知られている。
人間が知覚できる光の範囲は、波長が概ね３８０ｎｍ以上の光である。３８０ｎｍより
小さい突起が、３８０ｎｍより小さい配設ピッチで配置されていることで、人間が知覚で
きる光が反射されることを抑制することができる。
【００２１】
［適用例８］上記適用例にかかる電気光学装置において、前記突起は、前記防塵用基板
の面に立設されており、前記防塵用基板の面に垂直な断面の少なくとも一つの前記断面に
おける断面形状が、楔形であることが好ましい。
【００２２】
この電気光学装置によれば、突起は、立設されている面に垂直な方向の断面において楔
形の断面形状を有している。光学素子や電気光学装置を構成し、光束が透過する部材は、
ガラスなどで形成されており、大気とは異なる屈折率を有している。ガラスなどと大気と
の境界面で屈折率が大きく変化することに起因して、光が反射する。突起が、立設されて
いる面に垂直な方向の断面において楔形の断面形状を有していることで、面に水平な方向
の断面においては、立設されている面からの距離によって、突起の部分が占める面積が徐
々に変化する。これにより、突起の高さの範囲で、屈折率を徐々に変化させることができ
る。屈折率を徐々に変化させることで、防塵用基板の面で屈折率が大きく変化することに
起因して光が反射することを抑制することができる。
【００２３】
［適用例９］上記適用例にかかる電気光学装置において、前記楔形の先端が円弧で構成
されていることが好ましい。
【００２４】
この電気光学装置によれば、突起の先端が曲面になっている。先端が曲面であることに
より、先端が尖った形状である場合にくらべて、突起における先端の強度を強くすること
ができる。
【００２５】
［適用例１０］上記適用例にかかる電気光学装置において、前記突起は、前記防塵用基
板の面に立設された球冠であることが好ましい。
【００２６】
この電気光学装置によれば、突起の形状は、球冠である。光学素子や電気光学装置を構
成し、光束が透過する部材は、ガラスなどで形成されており、大気とは異なる屈折率を有
している。ガラスなどと大気との境界面で屈折率が大きく変化することに起因して、光が
反射する。突起の形状が球冠であることで、突起が立設されている面に水平な方向の断面
においては、立設されている面からの距離によって、突起の部分が占める面積が徐々に変
化する。これにより、突起の高さの範囲で、屈折率を徐々に変化させることができる。屈
折率を徐々に変化させることで、防塵用基板の面で屈折率が大きく変化することに起因し
て光が反射することを抑制することができる。突起の表面が曲面であるため、角がある形
状にくらべて、突起の強度を強くすることができる。
【００２７】
［適用例１１］上記適用例にかかる電気光学装置において、前記突起は、前記防塵用基
板の面に立設されており、先端側が球冠形状の円柱、角柱、円錐、又は角錐であることが
好ましい。
【００２８】
この電気光学装置によれば、突起は、先端側が球冠形状の円柱、角柱、円錐、又は角錐
である。光学素子や電気光学装置を構成し、光束が透過する部材は、ガラスなどで形成さ
れており、大気とは異なる屈折率を有している。ガラスなどと大気との境界面で屈折率が
大きく変化することに起因して、光が反射する。突起の形状が、先端側が球冠形状の円柱
、角柱、円錐、又は角錐であることで、突起が立設されている面に水平な方向の断面にお
いては、立設されている面からの距離によって、突起の部分が占める面積が徐々に変化す
る。これにより、突起の高さの範囲で、屈折率を徐々に変化させることができる。屈折率
を徐々に変化させることで、防塵用基板の面で屈折率が大きく変化することに起因して光
が反射することを抑制することができる。
【００２９】
［適用例１２］上記適用例にかかる電気光学装置において、前記複数の突起は、前記防
塵用基板の面における、前記電気光学素子が備える光学変調領域に対応する領域に配設さ
れていることが好ましい。
【００３０】
この電気光学装置によれば、突起は、電気光学素子が備える光学変調領域に対応する領
域にのみ配設されている。ここで、光学変調領域は、電気光学装置において、電気信号に
従って光を変調させることが実行される領域である。例えば、液晶表示装置において、制
御信号に従って制御されることによって、光を透過させる又は遮断する画素が配設された
画素領域である。したがって、光学変調領域に対応する領域は、埃などが付着したり、光
が反射したりすることを抑制することが、電気光学装置による表示品質などを向上させる
ことに寄与する領域である。当該領域にのみ突起を形成することで、不要な突起を構成す
ることを抑制して、効率良く突起を形成することができる。
【００３１】
［適用例１３］上記適用例にかかる電気光学装置において、前記電気光学素子、又は前
記電気光学素子及び前記防塵用基板を保持する保持ケースをさらに備え、前記保持ケース
は、前記電気光学素子又は前記防塵用基板における前記突起が形成されていない部分に当
接して前記電気光学素子又は前記防塵用基板を保持していることが好ましい。
【００３２】
この電気光学装置によれば、電気光学素子又は防塵用基板は、突起が形成されていない
部分において、保持ケースに支持される。これにより、突起が保持ケースに当接すること
で、微小な突起が損傷することを抑制することができる。
【００３３】
［適用例１４］本適用例にかかる防塵用基板は、電気光学装置が備える電気光学素子に
貼り合わされた防塵用基板であって、前記防塵用基板における前記電気光学素子と対向す
る面の反対側の面に、複数の突起を設けたことを特徴とする。
【００３４】
この防塵用基板によれば、基板面に突起が形成されている。突起が存在することで、平
坦な面にくらべて、防塵用基板に対して埃などが接触することができる面積が小さくなる
。これにより、防塵用基板の面に埃などが付着することを抑制することができる。
電気光学素子に接近することを防塵用基板によって阻止される埃などは、防塵用基板に
おける電気光学素子と対向する面の反対側の面に接触する可能性が高い。この面に突起を
形成することによって、防塵用基板において埃などが接触する可能性が高い面を、埃など
が付着し難い面にすることができる。
【００３５】
［適用例１５］上記適用例にかかる防塵用基板において、前記複数の突起におけるそれ
ぞれの突起の高さ、及びそれぞれの前記突起間の配設ピッチは、前記電気光学素子に入射
する入射光の波長より小さいことが好ましい。
【００３６】
この防塵用基板によれば、防塵用基板に、高さが入射光の波長より小さい突起が、入射
光の波長より小さい配設ピッチで配置される。防塵用基板は、ガラスなどで形成されてお
り、大気とは異なる屈折率を有している。ガラスなどと大気との境界面で屈折率が大きく
変化することに起因して、光が反射する。多数の突起を設けることで、突起の高さの範囲
で、屈折率を徐々に変化させることができる。このようにすることにより、突起の高さお
よび配設ピッチより長い波長の光は、境界面で反射され難くなることが知られている。入
射光の波長より小さい突起が、入射光の波長より小さい配設ピッチで配置されていること
で、入射する光が反射されることを抑制することができる。
【００３７】
［適用例１６］上記適用例にかかる防塵用基板において、前記複数の突起におけるそれ
ぞれの突起の高さ、及びそれぞれの前記突起間の配設ピッチは、４３０ｎｍ未満であるこ
とが好ましい。
【００３８】
この防塵用基板によれば、防塵用基板に、高さが４３０ｎｍより小さい突起が、４３０
ｎｍより小さい配設ピッチで配置される。防塵用基板は、ガラスなどで形成されており、
大気とは異なる屈折率を有している。ガラスなどと大気との境界面で屈折率が大きく変化
することに起因して、光が反射する。多数の突起を設けることで、突起の高さの範囲で、
屈折率を徐々に変化させることができる。このようにすることにより、突起の高さおよび
配設ピッチより長い波長の光は、境界面で反射され難くなることが知られている。
電気光学装置で扱われることが多い光の３原色の中で、波長が最も短い青色の波長は、
概ね４３０ｎｍである。４３０ｎｍより小さい突起が、４３０ｎｍより小さい配設ピッチ
で配置されていることで、光の３原色の光が反射されることを抑制することができる。
【００３９】
［適用例１７］上記適用例にかかる防塵用基板において、前記複数の突起におけるそれ
ぞれの突起の高さ、及びそれぞれの前記突起間の配設ピッチは、可視光の波長より小さい
ことが好ましい。
【００４０】
この防塵用基板によれば、防塵用基板に、高さが可視光の波長より小さい突起が、可視
光の波長より小さい配設ピッチで配置される。防塵用基板は、ガラスなどで形成されてお
り、大気とは異なる屈折率を有している。ガラスなどと大気との境界面で屈折率が大きく
変化することに起因して、光が反射する。多数の突起を設けることで、突起の高さの範囲
で、屈折率を徐々に変化させることができる。このようにすることにより、突起の高さお
よび配設ピッチより長い波長の光は、境界面で反射され難くなることが知られている。可
視光の波長より小さい突起が、可視光の波長より小さい配設ピッチで配置されていること
で、可視光が反射されることを抑制することができる。
【００４１】
［適用例１８］上記適用例にかかる防塵用基板において、前記複数の突起におけるそれ
ぞれの突起の高さ、及びそれぞれの前記突起間の配設ピッチは、３８０ｎｍ未満であるこ
とが好ましい。
【００４２】
この防塵用基板によれば、防塵用基板に、高さが３８０ｎｍより小さい突起が、３８０
ｎｍより小さい配設ピッチで配置される。防塵用基板は、ガラスなどで形成されており、
大気とは異なる屈折率を有している。ガラスなどと大気との境界面で屈折率が大きく変化
することに起因して、光が反射する。多数の突起を設けることで、突起の高さの範囲で、
屈折率を徐々に変化させることができる。このようにすることにより、突起の高さおよび
配設ピッチより長い波長の光は、境界面で反射され難くなることが知られている。
人間が知覚できる光の範囲は、波長が概ね３８０ｎｍ以上の光である。３８０ｎｍより
小さい突起が、３８０ｎｍより小さい配設ピッチで配置されていることで、人間が知覚で
きる光が反射されることを抑制することができる。
【００４３】
［適用例１９］上記適用例にかかる防塵用基板において、前記突起は、前記防塵用基板
の面に立設されており、前記防塵用基板の面に垂直な断面の少なくとも一つの前記断面に
おける断面形状が、楔形であることが好ましい。
【００４４】
この防塵用基板によれば、突起は、立設されている面に垂直な方向の断面において楔形
の断面形状を有している。光学素子や電気光学装置を構成し、光束が透過する部材は、ガ
ラスなどで形成されており、大気とは異なる屈折率を有している。ガラスなどと大気との
境界面で屈折率が大きく変化することに起因して、光が反射する。突起が、立設されてい
る面に垂直な方向の断面において楔形の断面形状を有していることで、面に水平な方向の
断面においては、立設されている面からの距離によって、突起の部分が占める面積が徐々
に変化する。これにより、突起の高さの範囲で、屈折率を徐々に変化させることができる
。屈折率を徐々に変化させることで、防塵用基板の面で屈折率が大きく変化することに起
因して光が反射することを抑制することができる。
【００４５】
［適用例２０］上記適用例にかかる防塵用基板において、前記楔形の先端が円弧で構成
されていることが好ましい。
【００４６】
この防塵用基板によれば、突起の先端が曲面になっている。先端が曲面であることによ
り、先端が尖った形状である場合にくらべて、突起における先端の強度を強くすることが
できる。
【００４７】
［適用例２１］上記適用例にかかる防塵用基板において、前記突起は、前記防塵用基板
の面に立設された球冠であることが好ましい。
【００４８】
この防塵用基板によれば、突起の形状は、球冠である。光学素子や電気光学装置を構成
し、光束が透過する部材は、ガラスなどで形成されており、大気とは異なる屈折率を有し
ている。ガラスなどと大気との境界面で屈折率が大きく変化することに起因して、光が反
射する。突起の形状が球冠であることで、突起が立設されている面に水平な方向の断面に
おいては、立設されている面からの距離によって、突起の部分が占める面積が徐々に変化
する。これにより、突起の高さの範囲で、屈折率を徐々に変化させることができる。屈折
率を徐々に変化させることで、防塵用基板の面で屈折率が大きく変化することに起因して
光が反射することを抑制することができる。突起の表面が曲面であるため、角がある形状
にくらべて、突起の強度を強くすることができる。
【００４９】
［適用例２２］上記適用例にかかる防塵用基板において、前記突起は、先端側が球冠形
状の円柱、角柱、円錐、又は角錐であることが好ましい。
【００５０】
この防塵用基板によれば、突起は、先端側が球冠形状の円柱、角柱、円錐、又は角錐で
ある。光学素子や電気光学装置を構成し、光束が透過する部材は、ガラスなどで形成され
ており、大気とは異なる屈折率を有している。ガラスなどと大気との境界面で屈折率が大
きく変化することに起因して、光が反射する。突起の形状が、先端側が球冠形状の円柱、
角柱、円錐、又は角錐であることで、突起が立設されている面に水平な方向の断面におい
ては、立設されている面からの距離によって、突起の部分が占める面積が徐々に変化する
。これにより、突起の高さの範囲で、屈折率を徐々に変化させることができる。屈折率を
徐々に変化させることで、防塵用基板の面で屈折率が大きく変化することに起因して光が
反射することを抑制することができる。
【００５１】
［適用例２３］上記適用例にかかる防塵用基板において、前記複数の突起は、前記防塵
用基板及び前記電気光学素子が前記電気光学装置に配設された状態において、前記防塵用
基板における前記電気光学素子が備える光学変調領域に対応する領域に配設されているこ
とが好ましい。
【００５２】
この防塵用基板によれば、突起は、電気光学素子が備える光学変調領域に対応する領域
にのみ配設されている。ここで、光学変調領域は、電気光学装置において、電気信号に従
って光を変調させることが実行される領域である。例えば、液晶表示装置において、制御
信号に従って制御されることによって、光を透過させる又は遮断する画素が配設された画
素領域である。したがって、光学変調領域に対応する領域は、埃などが付着したり、光が
反射したりすることを抑制することが、電気光学装置による表示品質などを向上させるこ
とに寄与する領域である。当該領域にのみ突起を形成することで、不要な突起を構成する
ことを抑制して、効率良く突起を形成することができる。
【００５３】
［適用例２４］本適用例にかかる電子機器は、上記適用例にかかる電気光学装置、又は
上記適用例にかかる防塵用基板を備えることを特徴とする。
【００５４】
この電子機器によれば、電気光学素子から出射される光束が透過する領域を含む面に、
埃などが付着し難い電気光学装置、又は埃などが付着し難い防塵用基板を備える。このこ
とから、電気光学素子から出射される光束が透過する領域に埃などが付着し難い電子機器
を実現することができる。
【発明を実施するための最良の形態】
【００５５】
以下、電気光学装置、防塵用基板、及び電子機器の好適な実施の形態について、図面を
参照して説明する。
実施形態は、電気光学素子を備える電気光学装置の一実施形態としての、液晶パネルを
備える液晶光変調装置（液晶ライトバルブ）、及び電気光学装置を備える電子機器として
の投射型表示装置を例に、また、有機ＥＬ（有機エレクトロルミネッセンス（Organic El
ectro Luminescence））装置を備える有機ＥＬ表示装置、及び有機ＥＬ表示装置を備える
情報機器を例に、説明する。
なお、以下の説明において参照する図面では、図示の便宜上、部材又は部分の縦横の縮
尺を実際のものとは異なるように表す場合がある。
【００５６】
（第一の実施形態）
最初に、電気光学装置、防塵用基板、及び電子機器の一実施形態である第一の実施形態
について、説明する。本実施形態は、電気光学素子を備える電気光学装置の一実施形態と
しての、液晶パネルを備える液晶光変調装置（液晶ライトバルブ）、及び電気光学装置を
備える電子機器としての投射型表示装置を例に説明する。
【００５７】
＜投射型表示装置＞
最初に、投射型表示装置について、図１を参照して説明する。投射型表示装置は、光源
から出射される光束を画像情報に応じて変調して光学像を形成し、形成した光学像をスク
リーン上に拡大投射するものである。図１は、投射型表示装置の概略構成を示す模式図で
ある。
図１に示すように、投射型表示装置１０は、光源装置１１と、色分離光学装置１２と、
リレー光学装置１４と、光学変調装置１６と、投射光学装置１７とを備えている。
【００５８】
光源装置１１は、光変調装置（液晶パネル）の画像形成領域を略均一に照明するための
光学系であり、光束を出射する光源ランプ２１と、リフレクター２２と、光源レンズ群２
３とを備えている。光源ランプ２１から放射状に出射された光束は、リフレクター２２に
よって一定の位置に収束される。光源レンズ群２３は、複数のレンズやレンズアレイを有
し、リフレクター２２によって収束される光束を光軸に平行な平行光にする。
【００５９】
色分離光学装置１２は、光源装置１１から出射された光束を分光する装置である。投射
型表示装置１０は３色のカラー表示を行う装置であり、色分離光学装置１２は、光源装置
１１から出射された光束を、赤色と緑色と青色との３色に分光する。色分離光学装置１２
は、ダイクロイックミラー２４ａ及びダイクロイックミラー２４ｂを備えている。ダイク
ロイックミラー２４ａは、赤色光を透過させると共に、緑色光及び青色光を反射して、緑
色光及び青色光の光軸の方向を、光源装置１１から出射された光束の光軸の方向に略垂直
な方向に変換する。ダイクロイックミラー２４ｂは、青色光を透過させると共に、緑色光
を反射して、緑色光の光軸の方向を、光源装置１１から出射された光束の光軸の方向と略
平行な方向であって光源装置１１から出射された光束と同じ方に進む方向に変換する。
【００６０】
リレー光学装置１４は、入射側レンズ３１、リレーレンズ３２、及び反射ミラー３３ａ
，３３ｂ，３３ｃを備え、色分離光学装置１２で分離された色光をそれぞれの液晶光変調
装置４１まで導く機能を有している。
【００６１】
ダイクロイックミラー２４ａを通過した赤色光は、反射ミラー３３ａによって、ダイク
ロイックミラー２４ａに反射された緑色光及び青色光と同じ方向に反射されて、光学変調
装置１６が備える液晶光変調装置４１Ｒに入射する。ダイクロイックミラー２４ｂで反射
された緑色光は、そのまま光学変調装置１６が備える液晶光変調装置４１Ｇに入射する。
ダイクロイックミラー２４ｂを透過した青色光は、入射側レンズ３１を通過して反射ミ
ラー３３ｂによって反射され、リレーレンズ３２を通過して反射ミラー３３ｃによって反
射され、もう１個のリレーレンズ３２を通過して、光学変調装置１６が備える液晶光変調
装置４１Ｂに入射する。反射ミラー３３ｂによって反射された青色光は、光軸の方向が、
ダイクロイックミラー２４ａを通過した赤色光の光軸の方向、及び液晶光変調装置４１Ｇ
に入射する緑色光の光軸の方向と平行であって、光の進む方向が同一である。
反射ミラー３３ｃによって反射された青色光の光軸の方向は、光軸の方向が、反射ミラ
ー３３ａによって、反射された赤色光の光軸の方向、及びダイクロイックミラー２４ａに
反射された緑色光及び青色光の光軸の方向に平行であり、光の進む方向が反対方向である
。赤色光、緑色光及び青色光の光軸は、同一平面内にあり、当該平面内において方向が変
えられている。従って、液晶光変調装置４１Ｒに入射する赤色光と液晶光変調装置４１Ｂ
に入射する青色光とは、光軸の位置及び方向は略同一であり、光の進む方向が反対になっ
ている。
【００６２】
光学変調装置１６は、色分離光学装置１２から出射される３色の色光を画像情報に応じ
てそれぞれ変調し、変調した各色光を合成して画像光（カラー画像）を形成する。光学変
調装置１６は、液晶光変調装置４１と、入射側偏光板４６と、出射側偏光板４７と、クロ
スダイクロイックプリズム４８とを備えている。
液晶光変調装置４１としては、上記したように、赤色光用の液晶光変調装置４１Ｒ、緑
色光用の液晶光変調装置４１Ｇ、及び青色光用の液晶光変調装置４１Ｂを備えている。液
晶光変調装置４１は、液晶パネル４２と、液晶パネル４２を保持する実装ケース４３とを
備えている。それぞれの液晶光変調装置４１の光束入射側には、入射側偏光板４６が配設
されている。液晶光変調装置４１の光束出射側には、それぞれ出射側偏光板４７が配設さ
れている。
クロスダイクロイックプリズム４８は、色光毎に変調されて出射側偏光板４７から出射
された変調光を合成して画像光（カラー画像）を形成する光学素子である。
【００６３】
入射側偏光板４６は、図示省略した偏光変換素子によって偏光方向が略一方向に揃えら
れた各色光が入射され、入射された光束のうち、偏光変換素子で揃えられた光束の偏光軸
と略同一方向の偏光軸を有する光束のみ透過させ、その他の光束を吸収するものである。
入射側偏光板４６は、例えば、サファイアガラスまたは水晶等の透光性基板上に偏光膜が
貼付された構成を有している。
【００６４】
液晶光変調装置４１を構成する液晶パネル４２は、一対の透明なガラス、石英等からな
る基板間に電気光学物質である液晶が密閉封入された構成を有する。液晶パネル４２は、
制御装置からの駆動信号に応じて、液晶の配向状態が制御され、入射側偏光板４６から出
射された偏光光束の偏光方向を変調する。液晶パネル４２は、液晶光変調装置４１を構成
する実装ケース４３に保持されている。液晶パネル４２を保持する実装ケース４３の具体
的な構成については後述する。
【００６５】
出射側偏光板４７は、入射側偏光板４６と同様の構成を有し、液晶光変調装置４１から
出射された光束のうち、入射側偏光板４６における光束の透過軸と直交する偏光軸を有す
る光束のみ透過させ、その他の光束を吸収するものである。
【００６６】
クロスダイクロイックプリズム４８は、出射側偏光板４７から出射された色光毎に変調
された変調光を合成して画像光（カラー画像）を形成する光学素子である。このクロスダ
イクロイックプリズム４８は、４つの直角プリズムを貼り合わせた平面視正方形の形状を
なし、直角プリズム同士を貼り合わせた界面には、２つの誘電体多層膜が形成されている
。これら誘電体多層膜は、投射光学装置１７が有する投射レンズ４９と対向する側（緑色
光側）に配置された出射側偏光板４７を介した色光を透過し、残りの２つの出射側偏光板
４７（赤色光側及び青色光側）を介した各色光を反射する。このようにして、各入射側偏
光板４６、液晶光変調装置４１、及び各出射側偏光板４７によって変調された各色光が合
成されてカラー画像が形成される。
【００６７】
合成された光は、クロスダイクロイックプリズム４８の投射レンズ４９に対向する面か
ら出射されて、投射レンズ４９によってスクリーン１９上に投射され、スクリーン１９上
にカラー画像が表示される。
【００６８】
＜液晶パネル＞
次に、液晶パネル４２について、図２を参照して説明する。図２は、液晶パネルの構造
を示す模式図である。図２（ａ）は、液晶パネルについて、各構成要素と共に対向基板側
から見た平面図であり、図２（ｂ）は、図２（ａ）にＨ−Ｈで示した断面における断面形
状を示す概略断面図である。
本実施形態に係る液晶パネルは、電気光学素子の一例である駆動回路内蔵型のＴＦＴア
クティブマトリクス駆動方式の液晶パネルである。
【００６９】
図２に示したように、液晶パネル４２は、ＴＦＴアレイ基板５５と対向基板５７とが対
向配置されている。ＴＦＴアレイ基板５５と対向基板５７との間に液晶層５０が封入され
ており、ＴＦＴアレイ基板５５と対向基板５７とは、画像表示領域４２Ａの周囲に位置す
るシール領域に設けられたシール材５２により相互に接着されている。
【００７０】
シール材５２は、ＴＦＴアレイ基板５５と対向基板５７とを貼り合わせるための、例え
ば紫外線硬化樹脂、熱硬化樹脂等からなり、製造プロセスにおいてＴＦＴアレイ基板５５
上に塗布された後、紫外線照射、加熱等により硬化させられたものである。シール材５２
の中には、ＴＦＴアレイ基板５５と対向基板５７との間隔（基板間ギャップ）を所定値と
するためのグラスファイバ或いはガラスビーズ等のギャップ材が散布されている。
【００７１】
シール材５２が配置されたシール領域の内側に並行して、画像表示領域４２Ａの額縁領
域を規定する遮光性の額縁遮光膜５３が、対向基板５７側に設けられている。但し、この
ような額縁遮光膜５３の一部又は全部は、ＴＦＴアレイ基板５５側に内蔵遮光膜として設
けてもよい。
【００７２】
画像表示領域４２Ａの周辺に広がる領域のうち、シール材５２が配置されたシール領域
の外側に位置する領域には、データ線駆動回路６１及び外部回路接続端子６２がＴＦＴア
レイ基板５５の一辺に沿って設けられている。また、走査線駆動回路６４は、この一辺に
隣接する２辺に沿い、且つ、上述した額縁遮光膜５３に覆われるようにして設けられてい
る。更に、このように画像表示領域４２Ａの両側に設けられた二つの走査線駆動回路６４
間をつなぐため、ＴＦＴアレイ基板５５の残る一辺に沿い、且つ、額縁遮光膜５３に覆わ
れるようにして複数の配線６５が設けられている。
【００７３】
対向基板５７の４つのコーナー部には、ＴＦＴアレイ基板５５と対向基板５７との間の
導通端子として機能する上下導通材６６が配置されている。他方、ＴＦＴアレイ基板５５
にはこれらのコーナーに対向する領域において、上下導通端子が配設されている。これら
の構成により、ＴＦＴアレイ基板５５と対向基板５７との間で電気的な導通をとることが
できる。
【００７４】
図２（ｂ）に示すように、ＴＦＴアレイ基板５５上には、画素スイッチング用のＴＦＴ
や走査線、データ線等の配線が形成された後の画素電極６９上に、図示しない配向膜が形
成されている。他方、対向基板５７上には、対向電極６７の他、格子状又はストライプ状
の遮光膜６８、更には最上層部分に図示しない配向膜が形成されている。また、液晶層５
０は、例えば一種又は数種類のネマティック液晶を混合した液晶からなり、これら一対の
配向膜間で、所定の配向状態をとる。
光束は、対向基板５７に入射し、液晶を通過して光変調されて、ＴＦＴアレイ基板５５
から出射される。対向基板５７における光束が入射する面を、入射側表面５７ａと表記し
、ＴＦＴアレイ基板５５における光束が出射される面を、出射側表面５５ａと表記する。
【００７５】
なお、図２に示したＴＦＴアレイ基板５５上には、これらのデータ線駆動回路６１、走
査線駆動回路６４等に加えて、他の回路を形成してもよい。他の回路として、画像信号線
上の画像信号をサンプリングしてデータ線に供給するサンプリング回路、複数のデータ線
に所定電圧レベルのプリチャージ信号を画像信号に先行して各々供給するプリチャージ回
路、製造途中や出荷時の当該電気光学装置の品質、欠陥等を検査するための検査回路等を
形成してもよい。
【００７６】
＜液晶光変調装置＞
次に、液晶光変調装置４１の構成について、図３及び図４を参照して説明する。最初に
、液晶光変調装置４１を構成する主要な要素について説明する。図３は、液晶光変調装置
を構成する主要要素を示す分解斜視図である。
【００７７】
図３に示すように、液晶光変調装置４１は、本発明に係る電気光学装置の一例であり、
上述した液晶パネル４２と、実装ケース４３と、フレキシブル配線基板（Flexible Print
ed Circuits、以降「ＦＰＣ」と表記する。）４５と、を有している。
ＦＰＣ４５は、液晶パネル４２の外部回路接続端子６２の部分で、液晶パネル４２に電
気的に接続されている。液晶パネル４２における、変調される光が入射する側の対向基板
５７の入射側表面５７ａと、入射した光が液晶を通過して光変調されて出射される側のＴ
ＦＴアレイ基板５５の出射側表面５５ａとには、防塵用基板としての入射側防塵ガラス７
６又は出射側防塵ガラス７７がそれぞれ接着固定され一体となっている。入射側防塵ガラ
ス７６及び出射側防塵ガラス７７は、投射型表示装置１０において液晶光変調装置４１に
表示された画像を投射する際に、液晶パネル４２の表面に付着した異物等が映像として映
し出されないように焦点をずらすため、およそ１．０〜２．０ｍｍの厚みを有している。
【００７８】
実装ケース４３は、保持部材としてのケースプレート７１と、ケースカバー７２と、ケ
ース止め７３とを有している。
ケースプレート７１は、液晶パネル４２を収容する凹部を有する筐体であり、液晶パネ
ル４２（出射側防塵ガラス７７の出射側表面７７ａ）の画像表示領域４２Ａの周辺領域を
支持する額縁領域７１ｂを有している。額縁領域７１ｂには、液晶パネル４２の画像表示
領域４２Ａに対応した大きさの開口部７１ａが設けられている。
額縁領域７１ｂの外周には、側壁７１ｃ、２個所の側壁７１ｄ、及び側壁７１ｅが形成
されている。側壁７１ｃ、及び側壁７１ｅの両端には、液晶光変調装置４１を投射型表示
装置１０に取り付けるための取付孔７１ｈが設けられている。また、側壁７１ｅの中央側
には、収容される液晶パネル４２に接続されたフレキシブル配線基板（ＦＰＣ）４５を支
持する切り欠き部７１ｇが設けられている。側壁７１ｃの中央には、円柱状の突起７１ｊ
が設けられている。
【００７９】
ケースカバー７２は、ケースプレート７１と協働して液晶パネル４２を収容する凹部を
有する筐体において、取付孔７１ｈに対応する位置である四隅が切り欠かれた形状を有し
ている。ケースカバー７２は、液晶パネル４２（入射側防塵ガラス７６の入射側表面７６
ａ）の画像表示領域４２Ａの周辺領域を支持する額縁領域７２ｂを有している。額縁領域
７２ｂには、液晶パネル４２の画像表示領域４２Ａに対応した大きさの開口部７２ａが形
成されている。ケースカバー７２には、額縁領域７２ｂを囲うように側壁７２ｃ、２個所
の側壁７２ｄ、及び側壁７２ｅが形成されている。２個所の側壁７２ｄの外側（額縁領域
７２ｂの反対側）の側面には、略三角柱状に突起したフック部７２ｆがそれぞれ設けられ
ている。
【００８０】
ケース止め７３は、側面視略コの字型の形状をしており、ケースプレート７１と当接す
る面に、液晶パネル４２の画像表示領域４２Ａに対応した大きさの開口部７３ａを有して
いる。また折り曲げられた両端の側壁７３ｂの突出部に、ケースカバー７２のフック部７
２ｆに対応した大きさのフック開口７３ｃを有している。
【００８１】
次に、組立てられた状態の液晶光変調装置４１について、図４を参照して説明する。図
４は、液晶光変調装置の概略形状を示す図である。図４（ａ）は、液晶光変調装置の概略
形状を示す外観斜視図であり、図４（ｂ）は、図４（ａ）にＡ−Ａで示した断面における
液晶光変調装置の断面形状を示す断面図である。
【００８２】
図４に示すように、液晶パネル４２が、入射側防塵ガラス７６や出射側防塵ガラス７７
と共に、ケースカバー７２とケースプレート７１とに挟持されて、実装ケース４３に保持
されている。一端が液晶パネル４２に接続されたＦＰＣ４５は、中間を切り欠き部７１ｇ
の部分で支持されて、もう一端側が、実装ケース４３の外部に出ている。
【００８３】
実装ケース４３に保持された液晶パネル４２は、画像表示領域４２Ａが、開口部７１ａ
と開口部７２ａと開口部７３ａとに臨む状態で保持されており、開口部７２ａから入射し
た光束は、画像表示領域４２Ａを透過して変調され、開口部７１ａ及び開口部７３ａから
出射される。光束が入射する側の入射側表面５７ａ及び光束が出射する側の出射側表面５
５ａは、入射側防塵ガラス７６又は出射側防塵ガラス７７によって雰囲気から隔絶されて
いる。入射側防塵ガラス７６の入射側表面７６ａ及び出射側防塵ガラス７７の出射側表面
７７ａの開口部７１ａ又は開口部７２ａに臨む領域が雰囲気に接している。
【００８４】
＜防塵ガラスの表面形状＞
次に、入射側防塵ガラス７６及び出射側防塵ガラス７７の表面形状について、図５を参
照して説明する。図５は、入射側防塵ガラスの表面の状態を示す説明図である。図５（ａ
）は、入射側防塵ガラスの平面図であり、図５（ｂ）は、入射側防塵ガラスの表面の拡大
平面図であり、図５（ｃ）は、入射側防塵ガラスの表面部分の拡大断面図である。
【００８５】
図５（ａ）に示すように、入射側防塵ガラス７６は、入射側表面７６ａの略全面に突起
７９が形成されている。図５（ｂ）及び（ｃ）に示すように、突起７９は、円錐形状を有
し、入射側表面７６ａに密集して立設されている。突起７９の高さＨ及び配設ピッチＰは
、４３０ｎｍより小さくなっている。４３０ｎｍは、投射型表示装置１０において液晶光
変調装置４１を用いて変調される赤色光、緑色光、及び青色光の中で最も波長が短い青色
光の波長である。突起７９を構成する材料は、アクリル系の樹脂や、シリコン系樹脂や、
入射側防塵ガラス７６と同じ石英ガラスなどが用いられる。
出射側防塵ガラス７７における出射側表面７７ａにも、出射側表面７７ａの略全面に、
突起７９と同様の突起が形成されている。
【００８６】
＜防塵ガラスの他の表面形状＞
次に、上述した入射側防塵ガラス７６又は出射側防塵ガラス７７とは異なる表面形状を
有する防塵ガラスの構成について、図６及び図７を参照して説明する。図６及び図７は、
防塵ガラスの表面の状態を示す説明図である。図６（ａ）は、防塵ガラスの平面図であり
、図６（ｂ）は、防塵ガラスの表面の拡大平面図であり、図６（ｃ）は、防塵ガラスの表
面部分の拡大断面図である。
【００８７】
図６（ａ）に示すように、防塵ガラス８１は、表面８１ａの周縁部分を除いた突起面領
域８１ｂに、突起８２が形成されている。突起面領域８１ｂの平面形状及び表面８１ａに
おける位置は、防塵ガラス８１が液晶パネルと共に実装ケースに保持された状態で、液晶
パネルの画像表示領域に対応する形状及び位置である。液晶パネルが液晶パネル４２であ
れば、突起面領域８１ｂの平面形状及び表面８１ａにおける位置は、防塵ガラス８１が液
晶パネル４２と共に実装ケース４３に保持された状態で、画像表示領域４２Ａに対応する
形状及び位置である。
図６（ｂ）及び（ｃ）に示すように、突起８２は、半球形状を有し、突起面領域８１ｂ
に密集して立設されている。突起８２の高さＨ及び配設ピッチＰは、４３０ｎｍより小さ
くなっている。４３０ｎｍは、光の三原色を用いる投射型表示装置において液晶光変調装
置を用いて変調される赤色光、緑色光、及び青色光の中で最も波長が短い青色光の波長で
ある。突起８２を構成する材料は、突起７９を構成する材料と同様に、アクリル系の樹脂
や、シリコン系樹脂や、防塵ガラス８１と同じ石英ガラスなどが用いられる。
【００８８】
図７（ａ）、図７（ｃ）、及び図７（ｅ）は、防塵ガラスの表面の拡大平面図であり、
図７（ｂ）、図７（ｄ）、及び図７（ｆ）は、図７（ａ）、図７（ｃ）、又は図７（ｅ）
に示した平面図に対応する、防塵ガラスの表面部分の拡大断面図である。
図７（ａ）及び図７（ｂ）に示した突起８４は、防塵ガラス８３の表面に延在する断面
が楔形状の壁状の突起である。突起８４の高さＨ及び配設ピッチＰは、４３０ｎｍより小
さくなっている。
図７（ｃ）及び図７（ｄ）に示した突起８６は、防塵ガラス８５の表面に立設されてい
る。突起８６は、六角錘形状を有し、防塵ガラス８５の表面に密集して立設されている。
突起８６の高さＨ及び配設ピッチＰは、４３０ｎｍより小さくなっている。
図７（ｅ）及び図７（ｆ）に示した突起８８は、防塵ガラス８７の表面に立設されてい
る。突起８８は、先端が球状の円柱形状を有し、防塵ガラス８７の表面に密集して立設さ
れている。突起８８の高さＨ及び配設ピッチＰは、４３０ｎｍより小さくなっている。
【００８９】
以下、第一の実施形態による効果を記載する。本実施形態によれば、以下の効果が得ら
れる。
（１）入射側防塵ガラス７６及び出射側防塵ガラス７７は、入射側表面７６ａ又は出射
側表面７７ａに、突起７９又は突起７９と同様の突起が形成されている。突起７９又は突
起７９と同様の突起が存在することで、平坦な面にくらべて、入射側表面７６ａ又は出射
側表面７７ａに対して埃などが接触することができる面積が小さくなる。これにより、入
射側防塵ガラス７６及び出射側防塵ガラス７７に埃などが付着することを抑制することが
できる。
【００９０】
（２）突起７９は、円錐形状を有し、突起７９の高さＨ及び配設ピッチＰは、４３０ｎ
ｍより小さくなっている。円錐形状を有する多数の突起７９を設けることで、突起７９の
高さの範囲で、入射側表面７６ａに平行な断面における突起７９の占める割合が徐々に変
化するため、屈折率を徐々に変化させることができる。このようにすることにより、突起
の高さおよび配設ピッチより長い波長の光は、境界面で反射され難くなることが知られて
いる。
投射型表示装置１０で扱われる光の３原色の中で、波長が最も短い青色の波長は、概ね
４３０ｎｍであって、４３０ｎｍより小さい突起７９などが、４３０ｎｍより小さい配設
ピッチで配置されていることで、光の３原色の光が反射されることを抑制することができ
る。
【００９１】
（３）防塵ガラス８１は、表面８１ａの周縁部分を除いた突起面領域８１ｂに、突起８
２が形成されている。突起面領域８１ｂの平面形状及び表面８１ａにおける位置は、防塵
ガラス８１が液晶パネルと共に実装ケースに保持された状態で、液晶パネルの画像表示領
域に対応する形状及び位置である。液晶パネルの画像表示領域は、埃などが付着したり、
光が反射したりすることを抑制することが、液晶パネルによる表示品質などを向上させる
ことに寄与する領域である。当該領域にのみ突起を形成することで、不要な突起を構成す
ることを抑制して、効率良く突起を形成することができる。
【００９２】
（第二の実施形態）
次に、電気光学装置、防塵用基板、及び電子機器の一実施形態である第二の実施形態に
ついて図面を参照して、説明する。本実施形態は、電気光学素子を備える電気光学装置の
一実施形態としての、有機ＥＬ表示装置、及び電気光学装置を備える電子機器としての情
報機器を例に説明する。有機ＥＬ表示装置が、電気光学素子に相当し、電気光学装置にも
相当する。
【００９３】
＜有機ＥＬ表示装置の構成＞
最初に、有機ＥＬ表示装置の構成について、図８、図９、及び図１０を参照して説明す
る。図８は、有機ＥＬ表示装置の平面構成を示す概略正面図である。図９は、有機ＥＬ素
子の配列例を示す平面図である。
図８に示すように、有機ＥＬ表示装置３００は、発光素子である複数の有機ＥＬ素子３
０７を有する素子基板３０１と、封止基板３０９とを備えている。有機ＥＬ素子３０７は
いわゆるカラー素子であり、有機ＥＬ表示装置３００は、図９に示すように、赤色素子３
０７Ｒ（赤色系）、緑色素子３０７Ｇ（緑色系）、青色素子３０７Ｂ（青色系）の３色の
有機ＥＬ素子３０７を有している。有機ＥＬ素子３０７は表示領域３０６に配置されてお
り、当該表示領域３０６に画像が表示される。
【００９４】
素子基板３０１上の３色の有機ＥＬ素子３０７は、図９（ａ）、及び図９（ｂ）に示す
ように、例えば、透光性のない樹脂材料によって格子状のパターンに形成された隔壁３１
５によって区画されてドット・マトリクス状に並んだ複数の例えば略方形状の領域に発光
層３１７（図１０参照）などを形成することによって形成されている。
【００９５】
素子基板３０１は、各有機ＥＬ素子３０７に対応した位置に、駆動素子としての複数の
スイッチング素子３１２（図１０参照）を備えている。スイッチング素子３１２は、例え
ば、ＴＦＴ（Thin Film Transistor）素子である。また、封止基板３０９よりもひとまわ
り大きく、額縁状に張り出した部分には、スイッチング素子３１２を駆動する２つの走査
線駆動回路部３０３と１つのデータ線駆動回路部３０４が設けられている。素子基板３０
１の端子部３０１ａには、これらの走査線駆動回路部３０３、又はデータ線駆動回路部３
０４と外部駆動回路とを接続するためのフレキシブルな中継基板３０８が実装されている
。これらの走査線駆動回路部３０３、及びデータ線駆動回路部３０４は、例えば、予め素
子基板３０１の表面に低温ポリシリコンの半導体層を形成して構成する。
【００９６】
有機ＥＬ素子３０７の配列としては、例えば、ストライプ配列、モザイク配列、デルタ
配列等が知られている。ストライプ配列は、図９（ａ）に示したように、マトリクスの縦
列が全て同色の有機ＥＬ素子３０７になる配列である。モザイク配列は、図９（ｂ）に示
したように、横方向の各行ごとに有機ＥＬ素子３０７一つ分だけ色をずらした配列で、３
色有機ＥＬ表示装置の場合、縦横の直線上に並んだ任意の３つの有機ＥＬ素子３０７が３
色となる配列である。そして、図９では図示省略したデルタ配列は、有機ＥＬ素子３０７
の配置を段違いにし、３色有機ＥＬ表示装置の場合、任意の隣接する３つの有機ＥＬ素子
３０７が異なる色となる配列である。
【００９７】
次に、有機ＥＬ表示装置３００の有機ＥＬ素子３０７の構成について説明する。図１０
は、有機ＥＬ表示装置の有機ＥＬ素子を含む要部の断面図である。図１０に示すように、
素子基板３０１は、ガラス基板３１０と、ガラス基板３１０の一方の表面上に形成された
複数のスイッチング素子３１２と、スイッチング素子３１２を覆うように形成された絶縁
層３１１と、絶縁層３１１上に形成されており、導通層３１４ａを介してスイッチング素
子３１２と導通している複数の画素電極３１４と、複数の画素電極３１４の間に形成され
た隔壁３１５と、を有する。さらに、隔壁３１５によって区画された領域（以降、「画素
領域３２１」と表記する。）の画素電極３１４上に形成された正孔輸送層３１６と、正孔
輸送層３１６上に積層して形成された発光層３１７と、発光層３１７および隔壁３１５を
覆うように設けられた対向電極３１８と、を有する。有機ＥＬ表示装置３００は、素子基
板３０１の対向電極３１８に対向して封止基板３０９が配置され、対向電極３１８と封止
基板３０９との間に不活性ガス３２０が封入されている。隔壁３１５によって区画された
領域の画素電極３１４上に形成された正孔輸送層３１６、発光層３１７、対向電極３１８
が、有機ＥＬ素子３０７に該当する。
【００９８】
画素領域３２１に、赤色、緑色、又は青色の光をそれぞれ発光する、赤色発光層３１７
Ｒ（赤色系）、緑色発光層３１７Ｇ（緑色系）、又は青色発光層３１７Ｂ（青色系）を形
成することで、赤色素子３０７Ｒ、緑色素子３０７Ｇ、又は青色素子３０７Ｂを形成する
。赤色素子３０７Ｒ、緑色素子３０７Ｇ、青色素子３０７Ｂを各１個ずつ含む有機ＥＬ素
子３０７の組で、画像を構成する最小単位である絵素を形成している。１絵素内の赤色素
子３０７Ｒ、緑色素子３０７Ｇ、青色素子３０７Ｂのいずれか１つ又はそれらの組合せを
選択的に発光させることにより、フルカラー表示を行う。
【００９９】
＜封止基板の表面形状＞
次に、封止基板３０９の表面形状について、図１１を参照して説明する。図１１は、封
止基板の表面の状態を示す説明図である。図１１（ａ）は、封止基板の平面図であり、図
１１（ｂ）は、封止基板の表面の拡大平面図であり、図１１（ｃ）は、封止基板の表面部
分の拡大断面図である。
【０１００】
図１１（ａ）に示すように、封止基板３０９は、表面３０９ａの周縁部分を除いた突起
面領域３２４に、突起３２２が形成されている。表面３０９ａは、封止基板３０９が有機
ＥＬ表示装置３００に組み込まれた状態において、対向電極３１８に対向する封止基板３
０９の面の反対側の面である。突起面領域３２４の平面形状及び表面３０９ａにおける位
置は、封止基板３０９が有機ＥＬ表示装置３００に組み込まれた状態において、素子基板
３０１における表示領域３０６と、平面方向において重なる部分を含む平面形状及び位置
である。
【０１０１】
図１１（ｂ）及び（ｃ）に示すように、突起３２２は、四角錐形状を有し、表面３０９
ａに密集して立設されている。突起３２２の高さＨ及び配設ピッチＰは、４３０ｎｍより
小さくなっている。４３０ｎｍは、有機ＥＬ表示装置３００において有機ＥＬ素子３０７
が出射する光の中で最も波長が短い青色素子３０７Ｂが出射する青色光の波長である。突
起３２２を構成する材料は、アクリル系の樹脂や、シリコン系樹脂や、封止基板３０９と
同じ石英ガラスなどが用いられる。
【０１０２】
封止基板３０９に形成する突起は、第一の実施形態において、図５、図６、又は図７を
参照して説明したような突起であってもよい。
封止基板３０９が、防塵基板にも相当する。有機ＥＬ表示装置３００が、電気光学素子
に相当し、電気光学装置にも相当する。
【０１０３】
＜情報機器＞
次に、有機ＥＬ表示装置を備える情報機器の具体例について、図１２を参照して説明す
る。本実施形態の情報機器は、上述した有機ＥＬ表示装置３００又は有機ＥＬ表示装置３
００と同様の構成を有する有機ＥＬ表示装置を備えた情報機器である。
【０１０４】
図１２（ａ）は、携帯電話の一例を示した斜視図である。図１２（ａ）に示すように、
携帯電話６００は、上述した有機ＥＬ表示装置３００を有する有機ＥＬ表示部６０１と、
携帯電話本体６０２と、を備えている。
【０１０５】
図１２（ｂ）は、ワードプロセッサー、パーソナルコンピューターなどの携帯型情報処
理装置の一例を示した斜視図である。図１２（ｂ）に示すように、情報処理装置７００は
、有機ＥＬ表示装置３００と同様の構成を有する有機ＥＬ表示装置を有する有機ＥＬ表示
部７０２と、キーボード７０１などの入力部と、情報処理本体７０３と、を備えている。
【０１０６】
図１２（ｃ）は、腕時計型電子機器の一例を示した斜視図である。図１２（ｃ）に示す
ように、腕時計８００は、有機ＥＬ表示装置３００と同様の構成を有する有機ＥＬ表示装
置を有する有機ＥＬ表示部８０１と、時計本体８０２と、を備えている。
【０１０７】
図１２（ｄ）は、情報機器の一例である有機ＥＬテレビを示す外観斜視図である。図１
２（ｄ）に示すように、有機ＥＬテレビ９００は、表示部９０１と、テレビ本体９０２と
、を備えている。表示部９０１は、上述した有機ＥＬ表示装置３００と同様の構成を有す
る有機ＥＬ表示装置を表示手段として搭載している。
【０１０８】
以下、第二の実施形態による効果を記載する。本実施形態によれば、以下の効果が得ら
れる。
（１）封止基板３０９は、表面３０９ａの突起面領域３２４に、突起３２２が形成され
ている。突起３２２が存在することで、平坦な面にくらべて、表面３０９ａに対して埃な
どが接触することができる面積が小さくなる。これにより、封止基板３０９の表面３０９
ａに埃などが付着することを抑制することができる。
【０１０９】
（２）突起３２２は、四角錐形状を有し、突起３２２の高さＨ及び配設ピッチＰは、４
３０ｎｍより小さくなっている。四角錐形状を有する多数の突起３２２を設けることで、
突起３２２の高さの範囲で、表面３０９ａに平行な断面における突起３２２の占める割合
が徐々に変化するため、屈折率を徐々に変化させることができる。このようにすることに
より、突起の高さおよび配設ピッチより長い波長の光は、境界面で反射され難くなること
が知られている。
有機ＥＬ表示装置３００が発光する光の３原色の中で、波長が最も短い青色の波長は、
概ね４３０ｎｍであって、４３０ｎｍより小さい突起３２２が、４３０ｎｍより小さい配
設ピッチで配置されていることで、光の３原色の光が反射されることを抑制することがで
きる。
【０１１０】
（３）封止基板３０９は、表面３０９ａの周縁部分を除いた突起面領域３２４に、突起
３２２が形成されている。突起面領域３２４の平面形状及び表面３０９ａにおける位置は
、封止基板３０９が有機ＥＬ表示装置３００に組み込まれた状態において、素子基板３０
１における表示領域３０６と、平面方向において重なる部分を含む平面形状及び位置であ
る。表示領域３０６は、埃などが付着したり、光が反射したりすることを抑制することが
、有機ＥＬ表示装置３００による表示品質などを向上させることに寄与する領域である。
当該領域にのみ突起を形成することで、不要な突起を構成することを抑制して、効率良く
突起を形成することができる。
【０１１１】
以上、添付図面を参照しながら好適な実施形態について説明したが、好適な実施形態は
、前記実施形態に限らない。実施形態は、要旨を逸脱しない範囲内において種々変更を加
え得ることは勿論であり、以下のように実施することもできる。
【０１１２】
（変形例１）前記第一の実施形態においては、液晶パネル４２に対して、それぞれ突起
７９のような突起を有する入射側防塵ガラス７６及び出射側防塵ガラス７７を備えていた
が、電気光学素子に対して、光束の入射側及び出射側の双方に防塵用基板を配設すること
は必須ではない。防塵用基板としての防塵ガラスは、入射側又は出射側のいずれか一方に
のみ設けてもよい。
また、光束の入射側及び出射側の双方の防塵用基板に突起７９のような突起を形成する
ことも必須ではない。突起は、入射側又は出射側のいずれか一方の防塵用基板にのみ設け
てもよい。
【０１１３】
（変形例２）前記第一の実施形態においては、液晶パネル４２に対して、それぞれ突起
７９のような突起を有する入射側防塵ガラス７６及び出射側防塵ガラス７７を備えていた
が、防塵ガラスを配設して、当該防塵ガラスに突起を形成することは必須ではない。例え
ば、入射側偏光板４６及び出射側偏光板４７のような、入射側及び出射側に配設される偏
光板の両方又はどちらか一方の面に、突起を形成してもよい。
【０１１４】
（変形例３）前記実施形態においては、突起７９などの高さＨ及び配設ピッチＰは、投
射型表示装置１０において液晶光変調装置４１を用いて変調される赤色光、緑色光、及び
青色光の中で最も波長が短い青色光の波長である４３０ｎｍより小さくなっていた。また
、突起３２２の高さＨ及び配設ピッチＰは、有機ＥＬ表示装置３００において有機ＥＬ素
子３０７が出射する光の中で最も波長が短い青色素子３０７Ｂが出射する青色光の波長で
ある４３０ｎｍより小さくなっていた。しかし、電気光学装置が出射する光の波長によっ
て突起の大きさを規定することは必須ではない。突起は、可視光線の中で最も波長が短い
光の波長より小さい高さ及び配設ピッチで形成してもよい。突起を、可視光線の中で最も
波長が短い光の波長より小さい高さ及び配設ピッチで形成することにより、外部から電気
光学装置の表示部に入射した可視光が表示面で反射されることを抑制することができる。
可視光線の中で最も波長が短い光の波長は、概ね３８０ｎｍである。したがって、突起は
、３８０ｎｍより小さい高さ及び配設ピッチで形成してもよい。
【０１１５】
（変形例４）前記実施形態においては、円錐形状を有する突起７９などを例示したが、
突起の形状は、実施形態において例示したような形状に限らない。例えば、頂上が球状の
円錐形状や、角錐形状であってもよい。突起の形状は、突起が形成された面に並行な断面
における突起部分が占める面積が、突起が形成された面に垂直な方向において、突起が形
成された面からの距離によって徐々に変化するような形状であればどのような形状であっ
てもよい。
【０１１６】
（変形例５）前記実施形態においては、突起７９や突起８２などは、互いに接する状態
で配設されていたが、突起を互いに接するように配設することは必須ではない。突起８４
のように、互いに間隔を空けて配設してもよいし、突起の一部が重なりあう状態に配設し
てもよい。
【０１１７】
（変形例６）前記実施形態においては、入射側防塵ガラス７６の入射側表面７６ａに配
設された突起７９や、防塵ガラス８１の突起面領域８１ｂに配設された突起８２などは、
配設されている複数の突起が略同じ高さ及び形状の突起であったが、複数の突起が同じ高
さ及び形状であることは必須ではない。複数の突起は、封止基板３０９の突起面領域３２
４に配設された突起３２２のように、大きさが互いに異なる突起であってもよい。また、
突起８４のような壁状の突起においては、突起の部分ごとに高さや断面形状が異なる形状
の突起であってもよい。
【０１１８】
（変形例７）前記第一の実施形態においては、電気光学素子の一例としての液晶パネル
４２を備え、投射型の表示装置として用いられる液晶光変調装置４１を電気光学装置の一
例として説明したが、液晶光変調装置は、投射型の装置に限らない。表示部に画像を表示
して、当該表示部に表示された画像を直接視認する構成の液晶表示装置であってもよい。
このような装置においては、入射側防塵ガラス７６や出射側防塵ガラス７７のような液晶
パネル４２の表面に付着した異物等が映像として映し出されないように焦点をずらす機能
を目的の一つとする防塵ガラスが用いられることは少ないが、カバーガラスなどの防塵用
基板や、偏光板の表面などに、上述したような突起を設けることで、上述した効果と同様
の効果を得ることができる。
また、液晶素子は、透過型の液晶素子でもよいし、反射型液晶素子（エルコス（ＬＣＯ
Ｓ：Liquid crystal on silicon）を用いてもよい。
【０１１９】
（変形例８）前記実施形態においては、電気光学素子の一例としての液晶パネル４２を
備える液晶光変調装置４１、及び有機ＥＬ表示装置３００を電気光学装置の一例として説
明したが、上記したような突起を設けることが効果を奏する電気光学装置は液晶装置や有
機ＥＬ装置に限らない。液晶装置や有機ＥＬ装置以外の電気光学装置としては、プラズマ
型表示装置（プラズマディスプレイ（ＰＤＰ： Plasma Display Panel））や、電解放出
型表示装置（電解放出型ディスプレイ（ＦＥＤ：Field Emission Display）（ＳＥＤ：Su
rface-conduction Electron-emitter Display））や、デジタルミラーデバイス（ＤＭＤ
：Digital Mirror Device）装置などが挙げられる。
【０１２０】
（変形例９）前記第二の実施形態においては、情報機器が備える表示装置は有機ＥＬ表
示装置３００を有する表示部であったが、情報機器が備える表示装置は有機ＥＬ表示装置
に限らない。表示装置は、上述した液晶表示装置や、プラズマ型表示装置や、電解放出型
表示装置や、デジタルミラーデバイス装置などであってもよい。
【図面の簡単な説明】
【０１２１】
【図１】第一の実施形態における投射型表示装置の概略構成を示す模式図。
【図２】（ａ）は、液晶パネルについて、各構成要素と共に対向基板側から見た平面図。（ｂ）は、（ａ）にＨ−Ｈで示した断面における断面形状を示す概略断面図。
【図３】液晶光変調装置を構成する主要要素示す分解斜視図。
【図４】（ａ）は、液晶光変調装置の概略形状を示す外観斜視図。（ｂ）は、（ａ）にＡ−Ａで示した断面における液晶光変調装置の断面形状を示す断面図。
【図５】（ａ）は、入射側防塵ガラスの平面図。（ｂ）は、入射側防塵ガラスの表面の拡大平面図。（ｃ）は、入射側防塵ガラスの表面部分の拡大断面図。
【図６】（ａ）は、防塵ガラスの平面図。（ｂ）は、防塵ガラスの表面の拡大平面図。（ｃ）は、防塵ガラスの表面部分の拡大断面図。
【図７】（ａ）、（ｃ）、及び（ｅ）は、防塵ガラスの表面の拡大平面図。（ｂ）、（ｄ）、及び（ｆ）は、（ａ）、（ｃ）、又は（ｅ）に示した平面図に対応する、防塵ガラスの表面部分の拡大断面図。
【図８】第二の実施形態における有機ＥＬ表示装置の平面構成を示す概略正面図。
【図９】有機ＥＬ素子の配列例を示す平面図。
【図１０】有機ＥＬ表示装置の有機ＥＬ素子を含む要部の断面図。
【図１１】（ａ）は、封止基板の平面図。（ｂ）は、封止基板の表面の拡大平面図。（ｃ）は、封止基板の表面部分の拡大断面図。
【図１２】（ａ）は、携帯電話の一例を示した斜視図。（ｂ）は、ワープロ、パソコンなどの携帯型情報処理装置の一例を示した斜視図。（ｃ）は、腕時計型電子機器の一例を示した斜視図。（ｄ）は、情報機器の一例である有機ＥＬテレビを示す外観斜視図。
【符号の説明】
【０１２２】
１０…投射型表示装置、１１…光源装置、１２…色分離光学装置、１６…光学変調装置
、１７…投射光学装置、４１…液晶光変調装置、４２…液晶パネル、４２Ａ…画像表示領
域、４６…入射側偏光板、４７…出射側偏光板、５５…ＴＦＴアレイ基板、５７…対向基
板、７１…ケースプレート、７２…ケースカバー、７６…入射側防塵ガラス、７６ａ…入
射側表面、７７…出射側防塵ガラス、７７ａ…出射側表面、８１，８３，８５，８７…防
塵ガラス、８１ａ…表面、８１ｂ…突起面領域、８２，８４，８６，８８…突起、３００
…有機ＥＬ表示装置、３０１…素子基板、３０６…表示領域、３０７…有機ＥＬ素子、３
０９…封止基板、３０９ａ…表面、３２２…突起、３２４…突起面領域、６００…携帯電
話、６０１…有機ＥＬ表示部、７００…情報処理装置、７０２…有機ＥＬ表示部、７０３
…情報処理本体、８００…腕時計、８０１…有機ＥＬ表示部、９００…有機ＥＬテレビ、
９０１…表示部。
【図１】
2010152266.tif 000003
【図２】
2010152266.tif 000004
【図３】
2010152266.tif 000005
【図４】
2010152266.tif 000006
【図５】
2010152266.tif 000007
【図６】
2010152266.tif 000008
【図７】
2010152266.tif 000009
【図８】
2010152266.tif 000010
【図９】
2010152266.tif 000011
【図１０】
2010152266.tif 000012
【図１１】
2010152266.tif 000013
【図１２】
2010152266.tif 000014